(57)【要約】  本開示は、磁気共鳴撮像システム１０６を有する磁気共鳴撮像誘導放射線治療装置１００を制御する方法に関するものである。該方法は、所定の標識により標識付けされた臓器１４６から磁気共鳴撮像システムを使用して３Ｄ画像データを有する磁気共鳴データを取得するステップと、磁気共鳴データの再構成された２Ｄ画像において標識の少なくとも１つの無信号域候補を識別するステップと、３Ｄ画像データ及び識別された無信号域を処理して、識別された無信号域候補が標識の一部であるという尤度を算出するステップと、該算出された尤度の指示情報を出力するステップと、該出力に応答して、放射線治療を実行することを指定するユーザ入力を受信するステップと、該放射線治療を用いて臓器の照射を制御するステップとを有する。
2019533562.tif 000002
【特許請求の範囲】
【請求項１】
所定の標識により標識付けされた臓器の患部の照射を制御するための磁気共鳴画像誘導放射線治療装置であって、磁気共鳴撮像システムと、当該磁気共鳴画像誘導放射線治療装置を制御するためのプロセッサと、マシン実行可能な命令を格納するメモリとを有し、前記命令の実行が前記プロセッサに、
前記磁気共鳴撮像システムを用いて前記臓器から３Ｄ画像データ又は３Ｄ画像データ及び２Ｄ画像データを有する磁気共鳴データを取得させ、
前記３Ｄ画像データから又は前記２Ｄ画像データから再構成された再構成２Ｄ画像において前記標識の少なくとも１つの無信号域候補を識別させ、
識別された前記無信号域候補が前記標識の一部であるという尤度を算出するために前記３Ｄ画像データ及び識別された無信号域を処理させ、
算出された前記尤度の指示情報を出力させ、
前記算出された尤度の出力に応答して、放射線治療計画に関するユーザ入力を受信させ、及び
前記臓器の照射を前記放射線治療計画に従って制御させる、
磁気共鳴画像誘導放射線治療装置。
【請求項２】
前記命令の実行が前記プロセッサに、更に、前記無信号域を前記２Ｄ画像のピクセルの磁気共鳴特性を用いて自動的に識別させる、請求項１に記載の磁気共鳴画像誘導放射線治療装置。
【請求項３】
前記命令の実行が前記プロセッサに、更に、前記２Ｄ画像をグラフィックユーザインターフェース上に表示させると共に、前記識別された無信号域の選択を受信させる、請求項１に記載の磁気共鳴画像誘導放射線治療装置。
【請求項４】
前記出力させることが、前記尤度の指示情報を前記２Ｄ画像に関連させて表示させることを有する、請求項１ないし３の何れか一項に記載の磁気共鳴画像誘導放射線治療装置。
【請求項５】
前記処理させることが、
前記識別された無信号域に対応する前記２Ｄ画像のピクセルを識別させること、
前記ピクセルの磁気共鳴特性を前記３Ｄ画像データのボクセルの磁気共鳴特性と比較させること、及び
該比較結果を用いて前記尤度を算出させること、
を有する、請求項１ないし４の何れか一項に記載の磁気共鳴画像誘導放射線治療装置。
【請求項６】
前記命令の実行が前記プロセッサに、更に、
前記標識の形状を記述する１以上のパラメータの基準値を供給させ、
前記標識の形状を前記無信号域の磁気共鳴特性を用いて決定するために前記３Ｄ画像データを処理させ、
前記パラメータの値を、決定された前記標識の形状を用いて決定させ、
決定された前記パラメータの値を前記基準値と比較させ、及び
該比較結果を用いて前記尤度を算出させる、
請求項１ないし５の何れか一項に記載の磁気共鳴画像誘導放射線治療装置。
【請求項７】
前記命令の実行が前記プロセッサに、更に、前記２Ｄ画像上で前記標識の形状の輪郭を描くために前記識別させること及び前記処理させることを反復させる、請求項１ないし６の何れか一項に記載の磁気共鳴画像誘導放射線治療装置。
【請求項８】
前記少なくとも１つの無信号域が複数の無信号域を有し、前記識別された無信号域候補の各々が前記標識の一部であるという尤度を算出するために前記３Ｄ画像データ及び前記複数の無信号域における各識別された無信号域の処理が実行され、前記命令の実行が前記プロセッサに更に前記標識の形状を前記複数の無信号域の尤度を用いて形成させる、請求項１ないし６の何れか一項に記載の磁気共鳴画像誘導放射線治療装置。
【請求項９】
前記パラメータが形状に依存しないパラメータである、請求項８に記載の磁気共鳴画像誘導放射線治療装置。
【請求項１０】
前記パラメータが金属標識の体積及び寸法を有する、請求項８又は請求項９に記載の磁気共鳴画像誘導放射線治療装置。
【請求項１１】
前記磁気共鳴特性が当該信号の強度及び振幅の少なくとも一方を有する、請求項８に記載の磁気共鳴画像誘導放射線治療装置。
【請求項１２】
前記臓器は前立腺であり、前記標識が所定の形状及び／又は所定のコントラストを有する物体である、請求項１に記載の磁気共鳴画像誘導放射線治療装置。
【請求項１３】
磁気共鳴撮像誘導放射線治療装置を制御するプロセッサにより実行するためのマシン実行可能な命令を有するコンピュータプログラムであって、前記マシン実行可能な命令の実行が前記プロセッサに、
所定の標識により標識付けされた臓器から磁気共鳴撮像システムを用いて取得された３Ｄ画像データ又は３Ｄ画像データ及び２Ｄ画像データを有する磁気共鳴データを受信させ、
前記３Ｄ画像データから又は前記２Ｄ画像データから再構成された再構成２Ｄ画像において前記標識の少なくとも１つの無信号域候補を識別させ、
識別された前記無信号域候補が前記標識の一部であるという尤度を算出するために前記３Ｄ画像データ及び識別された無信号域を処理させ、
算出された前記尤度の指示情報を出力させ、
前記出力に応答して、放射線治療計画に関するユーザ入力を受信させ、及び
前記臓器の照射を前記放射線治療計画に従って制御させる、
コンピュータプログラム。
【請求項１４】
磁気共鳴撮像システムを有する磁気共鳴撮像誘導放射線治療装置を制御する方法であって、
所定の標識により標識付けされた臓器から前記磁気共鳴撮像システムを用いて３Ｄ画像データ又は３Ｄ画像データ及び２Ｄ画像データを有する磁気共鳴データを取得するステップと、
前記３Ｄ画像データから又は前記２Ｄ画像データから再構成された再構成２Ｄ画像において前記標識の少なくとも１つの無信号域候補を識別するステップと、
識別された前記無信号域候補が前記標識の一部であるという尤度を算出するために前記３Ｄ画像データ及び識別された無信号域を処理するステップと、
算出された前記尤度の指示情報を出力するステップと、
算出された前記尤度の出力に応答して、放射線治療計画に関するユーザ入力を受信するステップと、
前記臓器の照射を前記放射線治療計画に従って制御するステップと、
を有する、方法。
【発明の詳細な説明】
【技術分野】
【０００１】
本発明は、エネルギ治療装置に、特には、所定の標識（マーカ）により標識付けされた臓器の患部の照射を制御するための治療システムの使用に関する。
【背景技術】
【０００２】
放射線療法（ＲＴ）治療計画システム及び画像解析ソフトウェアは、ユーザが磁気共鳴画像内で臓器を見つけることを助けるツールを必要とする。特に、前立腺等の臓器のＭＲＩのみに基づくＲＴ又はＭＲＩ支援ＲＴにおいては磁気共鳴（ＭＲ）画像の処理を改善する必要性が存在する。
【発明の概要】
【発明が解決しようとする課題】
【０００３】
種々の実施態様は、独立請求項の主題により記載される磁気共鳴撮像誘導放射線治療装置、改善された方法、及びコンピュータプログラム製品を提供する。有利な実施態様は従属請求項に記載される。
【課題を解決するための手段】
【０００４】
一態様において、本発明は所定の標識（マーカ）により標識付け（マーク付け）された臓器の患部の照射を制御するための磁気共鳴画像誘導放射線治療装置（ＭＲＩ装置）に関するものである。該ＭＲＩ装置は、磁気共鳴撮像システム、当該装置を制御するためのプロセッサ、及びマシン実行可能な命令を格納するメモリを有し、これら命令の実行は該プロセッサに：
−  前記磁気共鳴撮像システム（１０６）を用いて前記臓器から３Ｄ画像データ又は３Ｄ画像データ及び２Ｄ画像データを有する磁気共鳴データを取得させ、
−  前記３Ｄ画像データから又は前記２Ｄ画像データから再構成された再構成２Ｄ画像において前記標識の少なくとも１つの無信号域（signal void）候補を識別させ、
−  前記識別された無信号域候補が前記標識の一部であるという尤度を算出するために前記３Ｄ画像データ及び前記識別された無信号域を処理させ、
−  前記算出された尤度の指示情報を出力させ、
−  前記算出された尤度の出力に応答して、放射線治療計画に関するユーザ入力を受信させ、及び
−  前記臓器の照射を前記放射線治療計画に従って制御させる。
【０００５】
例えば、単一の放射線治療計画を用いることができ、前記算出された尤度を当該臓器の位置検証のために用いることができる。他の例においては、算出された尤度を、位置検証のためのみならず、計画目的で（例えば、標識位置の領域における密度情報を補正するために）使用することができる。
【０００６】
例えば、治療計画システムにおいて前立腺のＭＲＩベースの放射線治療（ＲＴ）計画が準備される場合、前立腺に挿入された金属ワイヤの小片の形状を手動で輪郭を描く必要性が、しばしば、存在する。ＲＴのための前立腺の正確な位置合わせのために、正確な輪郭描写が必要である。本装置及び方法は、治療されるべき臓器に挿入された標識の正確な輪郭描写を可能にすることができる。
【０００７】
本装置及び方法は、当該装置のユーザがＭＲ画像内の３Ｄ物体の既知の（恐らくは変形された）形状を、該３Ｄ物体の後の印し付け又は輪郭描写のために位置特定することができるような出力を可能にすることができる。前記標識は該３Ｄ物体を有する。当該装置は、前立腺のＲＴのために使用することができるのみならず、肝臓又は他の臓器の場合にも用いることができる。
【０００８】
前記標識の形状は当該臓器内で時間にわたり（例えば、該臓器の患部を治療又は照射している間に）変化し得る。このように、該標識の初期形状は、最早、有効でなくなり得る。本装置及び方法は、当該標識の最新の形状を動的に提供するために動的データ処理（例えば、自動的、周期的又はイベント若しくはユーザ起動処理）を可能にすることができる。
【０００９】
他の利点は、上述したフィーチャが、放射線線量分布を標識の最新の形状に基づいて正確に計算することにより、放射線線量分布の一層良好な制御を行うことを可能にし得ることであり得る。
【００１０】
他の利点は、本方法が、ＭＲ画像上での放射線線量計画を可能にし、これによりコンピュータトモグラフィ（ＣＴ）画像の取得及び再構成を回避することにより、資源及び処理時間を節約することができることであり得る。このことは、正確な放射線治療計画のためにＭＲ手順に加えてＣＴベースの手順が必要とされる従来の方法（例えば、前立腺放射線治療計画に対する現在の標準である）とは対照的である。
【００１１】
他の利点は、本方法がＭＲ画像において異質標識の形状から生じる無信号域の変形された形状を位置特定することを可能にし得ることであり得る。このことは、ＭＲ画像における標識の検出が、画像形成の物理的メカニズムが異なる故にＣＴ画像におけるほど容易ではないので特に有利であり得る。また、ＭＲ撮像によれば、組織におけるコントラストはＣＴ画像におけるよりも大幅に変化し得る。
【００１２】
前記標識は、例えば、先験的に既知の若しくは予め定められた寸法及び／又は先験的に既知の若しくは予め定められたコントラストの物体を有することができる。例えば、当該標識は金属、プラスチック又は物質の混合物から形成することができる。
【００１３】
前記再構成２Ｄ画像は、２Ｄ又は３Ｄ画像データから再構成することができる。例えば、３Ｄ画像データがマルチスライス技術を用いて複数のスライスで取得される場合、該再構成２Ｄ画像は、これらスライスの再構成スライスであり得る。ユーザは斯かる再構成２Ｄ画像上で無信号域を識別したいものであり、識別された無信号域は、連続するスライスの画像データを調べて（前記３Ｄ画像データは連続するスライスの画像データを有する）、これが標識であるかをチェックするために用いられる。一例において、前記再構成２Ｄ画像の画像データ及び３Ｄ画像データは、位置合わせすることができる。
【００１４】
“位置合わせする”なる用語は、同一の又は異なる撮像方式を用いて取得された同一の又は異なる被検体の画像の間の位置合わせ（整列）を指す。画像位置合わせは、対応する特徴構造を関係付けることができるように、異なる画像における空間的情報の一致を確立する。画像の位置合わせ及び比較は、当該臓器（例えば、患者又は個人の）の２Ｄ及び３Ｄ画像データの間のものであり得る。
【００１５】
“無信号域（signal void）”なる用語は、２Ｄ画像におけるラジオ波信号を放出しない領域（一般的に、当該ＭＲ画像における暗い領域として示される）又は既知の品質若しくはコントラストの信号（例えば、液体で満たされた容器若しくは袋、プラスチックインサート又は臓器等から生じ若しくは発する）を放出する領域を指す。これは、該領域に活性化された陽子が存在しない故（流れる血液等）、又は補償されないディフェージング故である。無信号域は、該領域の１以上のピクセル又はボクセルを参照し又は有し得る。無信号域は基なる源により生じ得る。例えば、無信号域は正常な解剖学的構造により生じる幾らかの僅かな流れの攪乱を有する領域において生じ得る。例えば、乳頭筋が生理学的撹乱体として作用する心室中部領域に無信号域が存在する。無信号域は、撮像される被写体における金属等の物体の存在により生じ得る。
【００１６】
一例において、前記出力させる及び受信させるステップはオプションとすることができる。例えば、前記尤度を決定したら、当該無信号域に関連する該決定された尤度の比較を、基準無信号域に関連する尤度の予め決定された基準値に対して実行することができる。該比較結果に基づいて（例えば、無信号域及び／又は尤度のズレに基づいて）、当該臓器の照射を制御するために所定のＲＴ計画を用いることができる。例えば、前記標識の初期形状を当該臓器のＭＲ画像上で決定することができ、基準無信号域を基準ＭＲ画像上で識別することができると共に、それらの尤度を算出することができる。これらの基準尤度値及び関連する基準無信号域（例えば、基準ＭＲ画像のピクセル）は記憶することができる。現在識別される無信号域に関する現在の尤度を算出するに際して、現在のＭＲ画像において取得される値及び位置を、記憶された基準値と比較することができる。（例えば、基準ＭＲ画像及び現在のＭＲ画像は、当該算出及び比較を実行する前に位置合わせすることができる）。更に、放射線治療計画は、予め定めると共に、予め定められた尤度及び／又は無信号域値と関連させて記憶することができる。
【００１７】
前記無信号域候補を識別又は決定するステップは、１以上のＭＲ画像を用いて実行することができる。例えば、ユーザは、標識の形状をより良く輪郭描写するために、複数のスライスにおける各スライスにおいて無信号域候補を識別することができる。識別された各無信号域候補に対して、前述したステップを実行することができる。
【００１８】
一実施態様によれば、前記命令の実行は前記プロセッサに、更に、前記無信号域を前記２Ｄ画像のピクセルの磁気共鳴特性を用いて自動的に識別させる。この構成は、標識の形状をチェックするための系統的方法を提供することができる。例えば、前記無信号域を識別するステップ及び対応する尤度を決定するステップは、反復することができ、各反復において標識の形状を決定することができる。前の反復に対して標識の形状が変化する場合、出力させ、受信させ及び当該装置を制御させる後続のステップを実行することができる。
【００１９】
一実施態様によれば、前記命令の実行は前記プロセッサに、更に、前記２Ｄ画像をグラフィックユーザインターフェース上に表示させると共に、前記識別された無信号域の選択を受信させる。この構成は、臓器の制御された照射を可能にすることができる。
【００２０】
一実施態様によれば、前記出力させるステップは、前記尤度の指示情報を前記２Ｄ画像に関連させて表示させるステップを有する。例えば、ポインタを前記２Ｄ画像において無信号域上に表示することができる。該ポインタは当該尤度を示すカラーを有することができる。例えば、緑色は当該尤度が９０％より高いことを示すことができる。
【００２１】
一実施態様によれば、前記処理させるステップは、前記２Ｄ画像における前記識別された無信号域に対応するピクセルを識別させるステップと、前記ピクセルの磁気共鳴特性を前記３Ｄ画像データのボクセルの磁気共鳴特性と比較させるステップと、該比較結果を用いて前記尤度を算出させるステップと、を有する。ボクセルは、３Ｄ空間で定義される体積要素である。ボクセルの寸法は、当該ピクセル及び当該スライスの厚さにより与えられる。スライスの厚さは、２Ｄマルチスライス撮像を用いて又は３Ｄスキャン技術により得られる。
【００２２】
例えば、当該治療装置のユーザが前記２Ｄ画像上で２Ｄ領域（例えば、無信号域候補）を選択する場合、本方法は１以上の先験的に選択されたモデルを、サンプル総当たり適合（当て嵌め）のように、前記選択された領域を含むように適合させる（当て嵌める）ことができる。このようなモデルの例は、人の臓器の基本モデル、選択された身体領域における典型的な疾病、又は市販の人工物体（例えば、ＭＲＩ対応体内アプリケータ）を含むことができる。当該適合の良さは、ユーザの可視範囲又は分類に対して正規化することができる。適合値はユーザに示すことができ（例えば、対話的に）、かくして、複数の可能性のある場所を即座にカバーすることができ、最良の整合を、２Ｄ画像形態の視覚的見え方、適合品質の視覚化及び位置特定されるべき標識の可能性のある位置に関してユーザが有する解剖学的知識に基づいて、見つけることができる。最良の位置が見付かったなら、ユーザはモデルを適用し又は位置を印すことができる。例えば、ユーザは２ＤのＭＲ画像上でマウスによりクリックすることにより単一のピクセルを選択することができる。該選択されたピクセルに加えて該選択されたピクセルを囲む又は該ピクセルに関係するピクセルをグループ化して、一群のピクセルを形成することができる。この場合、周囲のピクセルも検索に含めることができる（例えば、マウスポインティングの不正確さを考慮に入れるために、可視視野若しくはビューポート解像度依存性計算又はピクセルウインドウ“５ピクセル内”検索基準を用いて）。当該方法は、上記群の各ピクセルを処理することができる。当該群の各ピクセルに関して、モデルマスク及び当該ピクセルからの該マスクのオフセットを含む小さな３Ｄ行列の事前に計算されたアレイが、３Ｄ画像ボリューム内のピクセル位置において適用されて（例えば、エッジ等の局部構造又は領域を捜して３ＤのＭＲデータを調べることができ、これらは関心物体を識別するために行列へと組み立てられる）、相関を計算する。最良の相関は適合の良さとして与えられる。
【００２３】
一実施態様によれば、前記命令の実行は前記プロセッサに、更に、前記標識の形状を記述する１以上のパラメータの基準値を供給させ、前記標識の形状を前記無信号域の磁気共鳴特性を用いて決定するために前記３Ｄ画像データを処理させ、前記パラメータの値を前記決定された前記標識の形状を用いて決定させ、前記決定された値を前記基準値と比較させ、及び該比較結果を用いて前記尤度を算出させる。
【００２４】
標識の形状の輪郭を正確に描くことは、時間がかかり、エラーが生じやすく、且つ、専門知識を必要とし得る。この実施態様は、標識（金属ワイヤ片又は他の物体）の形状（例えば、長さ及び体積）を先験的情報として用いて、当該ＭＲ画像から当該標識の識別された無信号域を見つける助けとすることができる。実施化は、例えば、予め定められた形状（Gold AnchorTMワイヤ等の標識の）が、当該無信号域候補が存在する領域上にドラッグされるというようなものであり得、本方法は長さ（及び体積）情報を用いて、標識の位置及び形状の検索を当該３Ｄボリューム（ボクセル）におけるありそうな近くの画像要素に限定する。標識（例えば、ワイヤ）は変形し得るが、収縮又は膨張することはないので、前記パラメータは、当該標識のありそうな位置を推定するために、この情報を用いて定義することができる。ＭＲ画像は典型的に同一の撮像セッションから到来するので、異なるコントラストを容易に用いることができる。これら画像は、典型的に、十分に位置合わせされているからである。これらは、形状検索処理の前に再位置合わせすることもできる。例えば、当該ＭＲ画像において標識の予測される形状及び局部的グレイレベル構造を表すモデルを用いることができる。
【００２５】
標識（臓器に挿入される）の任意の形状を事前に定義する能力及び本方法が該情報を用いることを可能にすることは、画像空間からの標識形状の検索を、この形状情報を用いて限定する。ＭＲＩによれば、検索における多くの画像コントラストの利用も用いることができる。画像は同一の撮像セッションから到来し、これにより容易に位置合わせされるからである。
【００２６】
一実施態様によれば、前記命令の実行は前記プロセッサに、更に、前記２Ｄ画像上で前記標識の形状の輪郭を描くために前記識別させるステップ及び前記処理させるステップを反復させる。この実施態様は、前記無信号域の制御された選択を可能にする（例えば、ユーザは正確に決定された無信号域を１つずつ供給することができる）ので有利であり得る。このことは、当該標識の正しい形状を見つける確率を増加させることができる。
【００２７】
一実施態様によれば、前記少なくとも１つの無信号域は複数の無信号域を有し、前記識別された無信号域候補の各々が前記標識の一部である（又は該標識により生じ若しくは発せられた）尤度を算出するために前記３Ｄ画像データ及び前記複数の無信号域における各識別された無信号域の処理が実行され、前記命令の実行は前記プロセッサに更に前記標識の形状を前記複数の無信号域の尤度を用いて形成させる。この実施態様は、全ての識別された無信号域の単一の処理を可能にすることができ、このことは、さもなければ無信号域の個々の処理により必要とされる資源を節約することができる。
【００２８】
一実施態様によれば、前記パラメータは形状に依存しないパラメータである。例えば、該パラメータは前記標識の体積、長さ又はサイズ（寸法）を有することができる。標識は変形し得るので、形状に依存しないパラメータを用いることは、２Ｄ画像上の標識の形状を決定する本方法の精度を増加させることができる。
【００２９】
一実施態様によれば、前記磁気共鳴特性は当該信号の強度及び振幅の少なくとも一方を有する。より多くの特性が用いられるほど、標識の形成は一層正確となる。
【００３０】
一実施態様によれば、前記標識は所定の形状及び／又は所定のコントラストを有する物体である。一例において、前記臓器は前立腺である。
【００３１】
他の例においては、構造（例えば、金の粒（シード）又はワイヤ）の形状に関する事前知識を用いる方法が提供され得る。ユーザが画像において可能性として該構造であり得る特定の領域を選択した場合、当該システムは、この領域が確かに選択された構造の一部である一部であるという尤度を算出する。また、アルゴリズムが、当該画像において該構造の存在を予め定められた形状に基づいて自動的に検索することもできる。
【００３２】
他の例においては、ＭＲＩ画像からの３Ｄ物体の正確な位置特定及び印し付け（輪郭描写）が視覚的手掛かり（キュー）を用いて実行される治療計画システムが提供される。３Ｄ物体の構造を位置特定する方法は、ＭＲ画像上の識別された無信号域に関する尤度算出を用いて説明された前記方法であり得る。
【００３３】
他の態様において、本発明は、磁気共鳴撮像誘導放射線治療装置を制御するプロセッサにより実行するためのマシン実行可能な命令を有するコンピュータプログラム製品に関するものであり、前記マシン実行可能な命令の実行は前記プロセッサに、
−  所定の標識により標識付けされた臓器（１４６）から磁気共鳴撮像システムを用いて取得された３Ｄ画像データ又は３Ｄ画像データ及び２Ｄ画像データを有する磁気共鳴データを受信させ、
−  前記３Ｄ画像データから又は前記２Ｄ画像データから再構成された再構成２Ｄ画像において前記標識の少なくとも１つの無信号域候補を識別させ、
−  前記識別された無信号域候補が前記標識の一部であるという尤度を算出するために前記３Ｄ画像データ及び前記識別された無信号域を処理させ、
−  前記算出された尤度の指示情報を出力させ、
−  前記出力に応答して、放射線治療計画に関するユーザ入力を受信させ、及び
−  前記臓器の照射を前記放射線治療計画に従って制御させる。
【００３４】
他の態様において、本発明は磁気共鳴撮像システムを有する磁気共鳴撮像誘導放射線治療装置を制御する方法に関するものである。該方法は、
−  所定の標識により標識付けされた臓器（１４６）から前記磁気共鳴撮像システムを用いて３Ｄ画像データ又は３Ｄ画像データ及び２Ｄ画像データを有する磁気共鳴データを取得するステップと、
−  前記３Ｄ画像データから又は前記２Ｄ画像データから再構成された再構成２Ｄ画像において前記標識の少なくとも１つの無信号域候補を識別するステップと、
−  前記識別された無信号域候補が前記標識の一部であるという尤度を算出するために前記３Ｄ画像データ及び前記識別された無信号域を処理するステップと、
−  前記算出された尤度の指示情報を出力するステップと、
−  前記算出された尤度の出力に応答して、放射線治療計画に関するユーザ入力を受信するステップと、
−  前記臓器の照射を前記放射線治療計画に従って制御するステップと、
を有する。
【００３５】
磁気共鳴画像データとは、ここでは、磁気共鳴撮像スキャンの間における磁気共鳴装置のアンテナによる原子スピンにより放出されたラジオ波信号の記録された測定値であると定義される。磁気共鳴撮像（ＭＲＩ）画像とは、ここでは、磁気共鳴画像データ内に含まれる解剖学的データの再構成された２次元又は３次元視覚化であると定義される。この視覚化はコンピュータを用いて実行することができる。
【００３６】
本発明の上述した実施態様の１以上は、組み合わされた実施態様が互いに排他的でない限り、組み合わすことができると理解される。
【図面の簡単な説明】
【００３７】
【図１】図１は、治療システムの断面及び機能図を示す。
【図２】図２は、臓器の患部の照射を制御する方法のフローチャートである。
【図３】図３は、無信号域を伴う２ＤのＭＲ画像の一例を示す。
【発明を実施するための形態】
【００３８】
以下、本発明の好ましい実施態様を、図面を参照して例示のみとして説明する。
【００３９】
以下の説明において、各図における同様の符号は同様の要素であるか、又は等価な機能を果たす。また、先に説明された要素は、当該機能が等価であれば、後の図では必ずしも説明されることはない。
【００４０】
種々の構造、システム及び装置は、説明のためのみの目的で、且つ、当業者により良く知られた詳細により本発明を不明瞭にさせることがないように、各図では概略的に示される。それにも拘わらず、添付図面は、開示される主題の解説例を記載及び説明するために含まれている。
【００４１】
図１は、治療システム１００の断面及び機能図を示す。治療システム１００は、放射線治療装置１０２及び磁気共鳴撮像モジュール１０６を有するものとして図示されている。放射線治療装置１０２は環状機構１０８を有する。該環状機構１０８は放射線治療源１１０を支持する。放射線治療源１１０は、代表的なもので、LINACＸ線源、Ｘ線２及び放射線同位体ガンマ放射線源とすることができる。該放射線治療源１１０に隣接するものは、該放射線治療源１１０により発生される放射線ビーム１１４をコリメートするための多分割ビームコリメータ１１２である。環状機構１０８は、放射線治療源１１０及びビームコリメータ１１２を放射線治療装置１０２の回転ポイント１１７の回りで移動させる（例えば、回転させる）ようにも構成される。回転ポイント１１７を回転軸１１６が通過する。
【００４２】
磁気共鳴撮像モジュール１０６は、主磁石１２２を有するものとして図示されている。環状機構１０８は、環状の形状のものであり、主磁石１２２を取り囲んでいる。図１に示された主磁石１２２は円筒状超伝導磁石である。しかしながら、本発明の実施態様に対しては他の磁石も適用可能である。主磁石１２２は超冷却低温槽１２４を有している。該低温槽１２４内には、一群の超伝導コイル１２６が存在する。電流が超伝導コイル１２６における電流の方向とは逆になる補償コイル１２８も存在する。これは、主磁石１２２を囲む又は取り囲む低磁場領域１３０を生成する。円筒状主磁石１２２は対称軸１３２を有するものとして図示されている。
【００４３】
前記磁石のボア内には勾配磁場コイル１３４が存在し、該勾配磁場コイルは、磁気共鳴データの取得のために、主磁石１２２の撮像ボリューム１３８内の対象を空間的にエンコードするために使用される。勾配磁場コイル１３４は勾配磁場コイル電源１３６に接続される。勾配磁場コイル１３４は代表的なものであることを意図するものである。典型的に、勾配磁場コイルは３つの直交空間方向に空間的にエンコードするための３つの別個の組のコイルを含んでいる。上記撮像ボリューム１３８は、主磁石１２２の中心に位置される。
【００４４】
撮像ボリューム１３８に隣接するものは、該撮像ボリューム１３８内の磁気スピンの向きを操作すると共に、これも該撮像ボリューム１３８内のスピンからのラジオ波を受信するためのラジオ波（ＲＦ）コイル１４０である。ラジオ波コイル１４０はラジオ波送受信器１４２に接続される。ラジオ波コイル１４０及びラジオ波送受信器１４２は、別々の送信及び受信コイル並びに別々の送信器及び受信器により置換することができる。ラジオ波コイル１４０及びラジオ波送受信器１４２は単なる代表的なものであると理解される。
【００４５】
主磁石１２２の中心内には、被検者１４４も位置される。被検者１４４は、標的ボリューム（又は標的ゾーン）１４６を有し、患者担体１４８上に横たわっているものとして図示されている。ＲＦコイル１４０は標的ボリューム１４６内にＲＦパルスを送信することができる。患者担体１４８は機械式位置決めシステム１５０を有している。該機械式位置決めシステム１５０は、主磁石１２２内で患者担体１４８を位置決めするように構成される。主磁石１２２の内部で利用可能な空間に依存して、機械式位置決めシステム１５０は患者担体１４８を磁石軸１３２に対して垂直な方向を含む異なる方向に移動させることができる。主磁石１２２内に一層多くの利用可能な空間が存在するなら、機械式位置決めシステム１５０は一層多くの自由度を有することができる。例えば、機械式位置決めシステム１５０は患者担体１４８を６つの自由度で位置決めすることができる。
【００４６】
ラジオ波送受信器１４２、勾配磁場コイル電源１３６、機械式アクチュエータ１０４及び機械式位置決めシステム１５０は、全てコンピュータシステム１５２のハードウェアインターフェース１５４に接続されるものとして図示されている。コンピュータシステム１５２は治療システム１００を制御するためにプロセッサ１５６を使用する。
【００４７】
図１に図示されたコンピュータシステム１５２は代表的なものである。この単一のコンピュータシステム１５２により図示された機能を表すために、複数のプロセッサ及びコンピュータシステムを用いることもできる。コンピュータシステム１５２はハードウェアインターフェース１５４を有し、該ハードウェアインターフェースはプロセッサ１５６が治療システム１００の要素に対してメッセージを送信及び受信することを可能にする。プロセッサ１５６は、表示装置１５８、コンピュータ記憶部１６０及びコンピュータメモリ１６２にも接続される。表示装置１５８は、タッチスクリーン型感知表示装置を有することができる。該表示装置は、ユーザが該表示装置１５８を一層効率的に操作することを可能にするために取り外し可能なスタイラスペンを備えることができる。
【００４８】
放射線治療装置１０２は、ハードウェアインターフェース１５４に接続されるものとしては図示されていない。放射線治療装置１０２は、例えば、ハードウェアインターフェース１５４に接続され、機械式アクチュエータ１０４を介してコンピュータシステム１５２と通信することもできる。
【００４９】
図１に示された例の場合、前記放射線治療装置の回転軸１１６は磁石軸１３２とは同軸的でない。回転ポイント１１７は、磁石軸１３２から中心がずれているものとして図示されている。標的ゾーン１４６は、磁石軸１３２から中心がずらされて離れていることが分かる。放射線治療装置１０２は、機械式アクチュエータ１０４により、当該放射線治療装置の回転ポイント１１７が標的ゾーン１４６内に位置するように移動されている。環状機構１０８が磁石１２２に対して移動されていることが分かる。
【００５０】
放射線ビーム１１４は回転ポイント１１７を通過する。回転ポイント１１７を標的ゾーン１４６の中心に位置させることは、放射線ビーム１１４が放射線治療源１１０により発生され、環状機構１０８により回転される場合に、該標的ゾーンが連続的に治療されることを可能にする。
【００５１】
コンピュータ記憶部１６０は、磁気共鳴撮像モジュール１０６により取得された画像磁気共鳴データ１７０を格納するものとして図示されている。コンピュータ記憶部１６０は、上記画像磁気共鳴データから再構成された診断画像（即ち、画像表現）１７２を更に格納するものとして図示されている。コンピュータ記憶部１６０は、標的ボリューム１４６の座標１７４を更に格納するものとして図示されている。コンピュータ記憶部１６０は、放射線治療制御信号１７８を更に格納するものとして図示されている。
【００５２】
コンピュータメモリ１６２は、プロセッサ１５６により処理のためのマシン実行可能な命令１８０、１８２、１８６、１８８、１９４を格納する。コンピュータメモリ１６２は、治療システム制御モジュール１８０を格納するものとして図示されている。治療システム制御モジュール１８０は、プロセッサ１５６が治療システム１００の全体的機能を制御することを可能にするマシン実行可能な命令を含む。コンピュータメモリ１６２は放射線治療装置制御モジュール１８２を更に含むものとして図示されている。放射線治療装置制御モジュール１８２は、プロセッサ１５６が放射線治療装置１０２の機能を制御することを可能にするマシン実行可能な命令を含む。
【００５３】
コンピュータメモリ１６２は、磁気共鳴撮像制御モジュール１８６を更に含むものとして図示されている。磁気共鳴撮像制御モジュール１８６は、プロセッサ１５６が磁気共鳴撮像モジュール１０６の機能及び動作を制御することを可能にするマシン実行可能なコードを含む。コンピュータメモリ１６２は、画像再構成モジュール１８８を更に格納するものとして図示されている。画像再構成モジュール１８８は、プロセッサ１５６により画像磁気共鳴データ１７０を画像１７２に変換するために使用されるマシン実行可能なコードを含む。
【００５４】
コンピュータメモリ１６２は、放射線治療制御信号発生モジュール１９４を更に格納するものとして図示されている。放射線治療制御信号発生モジュール１９４は、プロセッサ１５６が放射線治療制御信号１７８を発生するために使用するコンピュータ実行可能なコードを含む。放射線治療制御信号１７８は、標的ボリューム１４６の座標と一緒に発生することができる。
【００５５】
コンピュータメモリ１６２は、アルゴリズム１９９を更に有するものとして図示されている。アルゴリズム１９９は、プロセッサ１５６が分割された（セグメント化された）ＭＲ画像（そして、組織に分類された）における矛盾又は異常を基準画像若しくは基準データを用いることにより検出するために使用するコンピュータ実行可能なコードを含む。例えば、アルゴリズム１９９は、前記セグメント化されたＭＲ画像における骨部分又は組織の寸法を該骨組織が超えてはならない基準直径（基準データの）と比較するように構成することができる。矛盾（例えば、上記寸法が上記直径を超えること）を識別することにより、アルゴリズム１９９は該セグメント化されたＭＲ画像の修正をリクエストすることができる。
【００５６】
他の例において、臨床的な関心のある殆どの構造は既知の特徴的形状及び他の構造に対する解剖学的位置を有するので、これらの特徴を使用する斯かるセグメント化されたＭＲ画像の解析は、当該アルゴリズムを当該セグメント化されたＭＲ画像の修正をリクエストするよう始動することができる。当該解析は、例えば、現在撮られたＭＲ画像を前の機会に撮られたものに位置合わせする又は先験的に同一であると予測される２つの対象の画像を位置合わせすることにより実行することができる。
【００５７】
コンピュータメモリ１６２は、更に、プロセッサ１５６が以下に記載する方法の少なくとも一部を実行することを可能にするコンピュータ実行可能なコードを含む。
【００５８】
図２は、例えば検査ボリューム１３８内で位置決めされた臓器１４６の患部の照射を制御するための図１の治療システム１００を動作させる方法のフローチャートである。当該臓器は例えば前立腺であり得る。該臓器は所定の標識（マーカ）を有することができる。例えば、ステップ２０１を実行する前に、直径１.０ｍｍ及び長さ３.０ｍｍの１以上の前立腺純金基準マーカを当該臓器に経直腸的に挿入することができる。当該標識は、例えば先験的に知られた若しくは予め定められた寸法の金属物体又は先験的に知られた若しくは予め定められたコントラストを有し得る物体を有することができる。例えば、治療装置のユーザは、ワイヤ形状の代わりに種子（シード）形状又は樽形状を使用する等のように、当該標識の金属のタイプに基づいて斯様な形状の予め定められた構造を用意することもできる。
【００５９】
ステップ２０１において、磁気共鳴撮像システム（例えば、１０６）を用いて当該臓器から磁気共鳴データを取得することができる。該取得された磁気共鳴データは、３Ｄ（三次元）画像データを有する（例えば、３Ｄ画像データを有する磁気共鳴データを取得することにより）。該３Ｄ画像データは３Ｄ取得法又は２Ｄマルチスライス取得法を用いて取得することができる。一例において、該取得された磁気共鳴データは２Ｄ画像データを更に有することができる。２つの異なる組の画像データを用いることは、同一の方法で取得されたデータを比較することに起因し得るバイアスを回避することができるので有利であり得る。当該２Ｄ及び／又は３Ｄ画像データの取得は、予め定められたパルスシーケンスを用いて実行することができる。斯かるパルスシーケンスは、例えば、スピンエコーＭＲＩパルスシーケンス又はＴ１強調勾配エコーシーケンスを含むことができる。
【００６０】
一例において、取得された磁気共鳴データは臓器１４６内の対応する組織を示す複数の区域（セグメント）に分割することができる。組織は、例えば、脂肪、水、骨又は空気組織等を有することができる。例えば、該分割するステップは各ボクセルを分割することにより、骨、空気及び軟組織（例えば、水部分及び脂肪部分等）に対応する区域を発生することにより実行することができる。例えば、骨区域は前記３Ｄ画像データにおける当該骨組織を示す第１群のボクセルを有することができる。
【００６１】
一例において、前記分割するステップは、前記取得されたＭＲデータを用いてＭＲ画像を再構成すると共に、該再構成されたＭＲ画像を分割することにより実行することができる。該分割するステップは、前記再構成されたＭＲ画像を、各々が均一である（例えば、輝度及び／又はテクスチャの点で）領域又はセグメントの寄せ集めに区分けするステップを有することができる。該分割するステップは組織分類を有する。例えば、該分割するステップは、前記再構成されたＭＲ画像の個々の要素に、当該個々の要素が属する組織を示す組織分類を割り当てるステップを有する。該個々の要素はボクセルを有することができる。前記組織分類は前記個々の要素に、例えば当該組織分類に固有の値（例えば、番号）を割り当てることにより割り当てることができる。例えば、前記ＭＲ画像の個々の要素は、特定の組織分類の仲間又は一部である自身の確率に従って分類することができる。斯かる分割は、例えば分割されたＭＲデータを位置合わせする場合に有利であり得る。例えば、前記２Ｄ及び３Ｄ画像データは分割することができ、分割されたＭＲデータは位置合わせすることができる。斯かる位置合わせのために、生の画像データ又は前記分割された画像は、これらの構造の間の幾何学的関係が適切である新たな基準フレームに変換することができる。
【００６２】
オプションとしてのステップ２０３において、再構成された２Ｄ画像の画像データ及び前記３Ｄ画像データは位置合わせ又は重ね合わせることができる。該位置合わせは、例えば前記２つのＭＲＩ画像データを整列し、共通の特徴構造が重なり合い、該２つの画像データの間の差分が強調されるようにして実行することができる。該位置合わせは、前記２Ｄ及び３Ｄ画像データの間の空間的又は時間的一致を見つけることができる。該画像位置合わせは、前記２Ｄ画像データを前記３Ｄ画像データに整列するように空間的に位置合わせすることを含むことができる。画像位置合わせは、輝度に基づくもの又は特徴構造に基づくものとすることができる。輝度ベースの位置合わせは、画像における輝度パターンを、相関尺度を介して比較する一方、特徴構造ベースの位置合わせは、点、線及び輪郭等の画像特徴構造の間の一致を見つける。他の例において、前記２Ｄ画像データ及び３Ｄ画像データは、位置合わせされないで後続のステップにおいて使用することができる。
【００６３】
ステップ２０５では、前記磁気共鳴データの再構成された２Ｄ画像において前記標識の少なくとも１つの無信号域（signal void）候補を識別することができる。例えば、前記２Ｄ画像は、前記３Ｄ画像データから又は前記２Ｄ画像データから再構成することができる。他の例において、撮像される臓器に関し、該臓器が用いることができる所定の形状又は構造を有するなら、少なくとも１つの無信号域候補を識別することができる（例えば、ここで標識に関して記載されることは、ＭＲＩシステム１０６を用いて撮像される所定の形状又は形態を有する他の構造に関して実行することもできる）。
【００６４】
無信号域とは、再構成された画像におけるラジオ波信号を放出しない領域（例えば、該領域に活性化された陽子が存在しないため）を指す。ステップ２０５において識別される無信号域は、前記標識から生じる又は該標識に対応する無信号域であるか又はない可能性があるので、候補である。
【００６５】
一例において、上記識別は自動的に実行することができる。例えば、無信号域は前記２Ｄ画像データのピクセルの磁気共鳴特性を用いて識別することができる。他の例において、無信号域は、再構成された画像の所与の位置としてランダムに選択することができる。
【００６６】
一例において、再構成された２Ｄ画像は、例えば表示装置１５８上のグラフィックユーザインターフェース上に表示することができる。そして、治療システム１００のユーザから選択情報を受信することができる。該選択情報は、前記の識別された無信号域を示す。無信号域の選択は、例えば上記グラフィックユーザインターフェースのカーソルの、前記再構成された２Ｄ画像における当該無信号域に対応する位置への移動（ドラッグ動作）により実行することができる。
【００６７】
他の例において、無信号域の識別は、例えば表示装置１５８のセンサによる、該（タッチ感知性）表示装置１５８上での当該無信号域を示すタッチ動作を検出するステップを有する。該タッチ動作はドラッグ動作を含むことができる。他の例において、斯かるタッチ動作は、表示装置１５８の入力ペンを表示装置１５８に接触することなく当該無信号域に向けることにより実行することができる。
【００６８】
一例においては、複数の無信号域を、ステップ２０５において、例えば標識の形状を決定するために識別することができる。このことは、ステップ２０５を複数回繰り返すことにより又は複数の無信号域を一度に識別することにより実行することができる。複数の無信号域の識別は、前述したように実行することができる。
【００６９】
ステップ２０７において、前記３Ｄ画像データ及び識別された無信号域は、当該識別された無信号域候補が標識の一部であるという尤度を計算するために処理することができる。言い換えると、これは、当該無信号域における信号が当該標識から生じているか又は生じていないかの尤度である。識別された無信号域候補が標識の一部であるということは、該無信号域が当該臓器の撮像された部分における該標識の存在により発生された又は起因したことを意味する。
【００７０】
当該無信号域が標識の一部であることの該尤度決定は、二進的決定（例えば、標識の一部である又は標識の一部でない）とすることができるが、当該無信号域が標識の一部である確率を表す値等の他の決定法を採用することができることも考えられる。
【００７１】
ステップ２０５において識別された各無信号域に対して、上記尤度又は確率を計算することができる。該尤度の計算は、例えば、画像輝度情報及び当該無信号域のピクセルの位置等の形態的情報の両方を用いることができる。例えば、無信号域のピクセルを３Ｄ画像データにおける画像輝度データと相関させる確率密度関数をベイズ（Bayesian）法で用いて、識別された各無信号域に関する尤度推定値を発生することができる。
【００７２】
一例において、ステップ２０７における３Ｄ画像データの処理は、識別された無信号域に対応する２Ｄ画像データにおけるピクセルを識別するステップと、該ピクセルの磁気共鳴特性を前記３Ｄ画像データのボクセルの磁気共鳴特性と比較するステップと、該比較結果を用いて尤度を算出するステップとを有することができる。
【００７３】
他の例において、ステップ２０７における３Ｄ画像データの処理は、前記標識の形状を記述する１以上のパラメータの基準値を供給するステップと、前記３Ｄ画像データを処理して前記標識の形状を前記無信号域の磁気共鳴特性を用いて決定するステップと、前記パラメータの値を該決定された標識の形状を用いて決定するステップと、該決定された値を前記基準値と比較するステップと、該比較結果を用いて尤度を算出するステップとを有することができる。前記標識の決定された形状は、例えば、該標識を含むボクセルの対数輝度上の分布を用いて確認することができ、該分布は所定の平均輝度値に対するガウス分布であるかをチェックすることができる。
【００７４】
他の例において、ステップ２０７の処理は、前記標識の形状を当該無信号域がありそうな領域上にドラッグするステップ、及び長さ（及び体積）情報を用いてアルゴリズム的検索を当該３Ｄボリューム内のありそうな近くの画像要素（例えば、ボクセル）に限定するステップを有することができる。ワイヤは変形し得る（収縮又は膨張はしない）ので、本方法は、この情報を無信号域のありそうな位置を推定する際に使用することができる。
【００７５】
例えば、再構成された２Ｄ画像を、識別された無信号域において標識を見つける尤度に関する確率マップ（カラーコーティング等）として表示することができる。
【００７６】
ステップ２０９において、前記算出された尤度（又は複数の尤度）の指示情報を供給し又は出力することができる。例えば、該出力するステップは、図３に関して示されるように当該尤度の指示情報を２Ｄ画像に関連させて例えば視覚的キュー（手掛かり）を用いて表示するステップを有する。算出された尤度の出力に応答して、又は該算出された尤度を供給することに応答して、ステップ２１１において、放射線治療（又は、放射線治療計画）を指定するユーザ入力を受信することができる。該ユーザ入力は、例えば、当該臓器の患部の照射を制御するための、放射線治療計画に関する放射線の３Ｄ輪郭領域、方向及び／又は配置を指定することができる。
【００７７】
ステップ２１３において、当該臓器の照射は上記放射線治療を用いて（又は上記放射線治療計画を用いて）制御することができる。該放射線治療とは、特定の組織（例えば、当該臓器）、例えば該臓器の腫瘍組織の、供給される高エネルギ放射線（例えば、所定の位置における）を用いた治療を指す。前述したような尤度を提供することにより、当該放射線の方向及び配置を正確に制御することができる。このことは、治療ボリューム、腫瘍又は患部が、治療され又は破壊されるために所望の又は十分な量の放射線を受けること、及び周囲の健康な又は非腫瘍組織の損傷又は悪影響が回避され又は最少にされることの両方を保証することができる。
【００７８】
一例において、無信号域を識別する及び対応する尤度を決定するステップ２０５〜２０７は反復することができ、各反復において前記標識の形状を前述したように決定することができる。前記標識の形状が前の反復からの標識の形状に対して変化する場合は、出力し、受信し及び当該装置を制御するステップ２０９〜２１３を実行することができ、それ以外の場合はステップ２０５〜２０７を反復することができる、等々である。
【００７９】
図３は、前立腺の再構成された２ＤのＭＲＩ画像の一例を示す。該前立腺は金属ワイヤ又は金製種子状（gold seed）マーカ等のマーカを有している。
【００８０】
先ず、追跡されるべき無信号域を選択することができる。例えば、該無信号域は金によるものであり得る。次いで、ユーザは当該前立腺領域を示す２Ｄ画像３０１にアクセスすることができる。該ユーザは、次いで、十字３０３及び３０５により図示されるように２Ｄ画像３０１における可能性のある黒い無信号域上にマウスを移動することができる。マウスポインタが当該２Ｄ画像上を移動又は迷動する際に、現在のポインタ位置３０３〜３０５に対するモデル適合を計算するために、基礎となるアルゴリズム又はソフトウェアが起動される。モデル適合値は、次いで、非適合、可能性のある適合及び良好な適合なる３つの分類に対して正規化することができる。該分類は、例えば、非適合に対して白、可能性のある適合に対して黄色及び良好な適合に対して緑のように、それに応じてポインタ３０３〜３０５のカラーを変化させることによりユーザインターフェース上に反映させることができる。非適合、可能性のある適合及び良好な適合は、ポインタ３０３〜３０５により識別又は選択された無信号域が当該標識の一部であるか又は該標識の一部でないかの尤度を示し得る。例えば、非適合は、識別された無信号域が当該標識の一部でないことを示し得る。
【００８１】
他の例において、無信号域は２Ｄ画像３０１上で自動的に発生又は識別され、該２Ｄ画像における当該無信号域に対応する領域（例えば、ピクセル）には、該領域が適合されるべきモデルの中心である場合、該適合の良さに対応する値が割り当てられる。この値は、次いで、当該モデルが良く適合する場所を一目で示すようなカラーコード化された重ね合わせ（オーバーレイ）へと調整される。
【００８２】
一例において、本開示は、ユーザが代表的な２Ｄ医療画像スライスと対話する場合における基となる３Ｄ構造上のユーザインターフェースの手掛かり（キュー）を提供する。該ユーザインターフェースは、当該画像上の無信号域が実際に隣接するスライス上で相互接続され、金属ワイヤ標識の候補を形成することを示すことができる。ＭＲ画像解像度は標識の寸法と比較して劣り得るものであるか、又は該画像はノイズが多いか若しくはコントラストに欠け得るので、ユーザインターフェースは視覚的手掛かりに対する適合品質（quality of fit）を含むことができ、ユーザが幾つかの無信号域候補を矢継ぎ早に供給し、ワイヤの最もありそうなケースが何であるかを素早く理解することができるようにする。本方法は、ユーザが臓器又は構造を先験的に知られたモデルでラベル付けする又は輪郭付けすることを要する他のアプリケーションのために用いることもできる。
【００８３】
当業者により理解されるように、本発明の態様は、装置、方法又はコンピュータプログラム製品として実施化することができる。従って、本発明の態様は、完全にハードウェアの実施態様、完全にソフトウェアの実施態様（ファームウエア、常駐ソフトウェア、マイクロコード等を含む）又はソフトウェア態様及びハードウェア態様（ここでは、全て、“回路”、“モジュール”若しくは“システム”と称することができる）を組み合わせた実施態様の形態をとることができる。更に、本発明の態様は、コンピュータ実行可能なコードが具現化された１以上のコンピュータ読取可能な媒体に実施化されたコンピュータプログラム製品の形をとることができる。
【００８４】
１以上のコンピュータ読取可能な媒体の如何なる組み合わせも用いることができる。該コンピュータ読取可能な媒体は、コンピュータ読取可能な信号媒体又はコンピュータ読取可能な記憶媒体であり得る。ここで使用される“コンピュータ読取可能な記憶媒体”とは、計算装置のプロセッサにより実行可能な命令を記憶することができる如何なる有形記憶媒体をも含む。該コンピュータ読取可能な記憶媒体は、コンピュータ読取可能な非一時的記憶媒体と称することができる。上記コンピュータ読取可能な記憶媒体は、有形コンピュータ読取可能な媒体と称することもできる。幾つかの実施態様において、コンピュータ読取可能な記憶媒体は、計算装置のプロセッサによりアクセスすることができるデータを記憶することもできる。コンピュータ読取可能な記憶媒体の例は、これらに限定されるものではないが、フロッピーディスク、磁気ハードディスクドライブ、固体ハードディスク、フラッシュメモリ、ＵＳＢメモリ（USB thumb drive）、ランダムアクセスメモリ（ＲＡＭ）、リードオンリメモリ（ＲＯＭ）、光ディスク、光磁気ディスク及びプロセッサのレジスタファイルを含む。光ディスクの例は、コンパクトディスク（ＣＤ）、デジタル汎用ディスク（ＤＶＤ）、例えばＣＤ−ＲＯＭ、ＣＤ−ＲＷ、ＣＤ−Ｒ、ＤＶＤ−ＲＯＭ、ＤＶＤ−ＲＷ又はＤＶＤ−Ｒディスクを含む。コンピュータ読取可能な記憶媒体なる用語は、ネットワーク又は通信リンクを介して当該計算装置によりアクセスすることが可能な種々のタイプの記録媒体も指す。例えば、データはモデムを介して、インターネットを介して又はローカルエリアネットワークを介して取り出すことができる。コンピュータ読取可能な媒体上に具現化されたコンピュータ実行可能なコードは、これらに限定されるものではないが、無線、有線、光ファイバケーブル、ＲＦ等、又はこれらの何らかの適切な組み合わせを含む如何なる適切な媒体を用いて伝送することもできる。
【００８５】
コンピュータ読取可能な信号媒体は、コンピュータ実行可能なコードが内部に（例えば、ベースバンド内に又は搬送波の一部として）具現化された伝搬されるデータ信号を含むことができる。このような伝搬される信号は、これらに限定されるものではないが、電磁的、光学的又はこれらの何れかの適切な組み合わせのものを含む種々の形態の何れかをとることができる。コンピュータ読取可能な信号媒体は、コンピュータ読取可能な記憶媒体ではなく、且つ、命令実行システム、装置若しくはデバイスにより又はこれらに関連して使用するためのプログラムを通知、伝搬又は伝送することができる如何なるコンピュータ読取可能な媒体とすることもできる。
【００８６】
“コンピュータメモリ”又は“メモリ”は、コンピュータ読取可能な記憶媒体の一例である。コンピュータメモリは、プロセッサに直接アクセス可能な如何なるメモリでもある。“コンピュータ記憶部”又は“記憶部”は、コンピュータ読取可能な記憶媒体の他の一例である。コンピュータ記憶部は、如何なる不揮発性コンピュータ読取可能な記憶媒体でもある。幾つかの実施例において、コンピュータ記憶部はコンピュータメモリとすることもでき、その逆も同様である。
【００８７】
ここで使用される“プロセッサ”とは、プログラム、マシン実行可能な命令又はコンピュータ実行可能なコードを実行することができる電子部品を含む。“プロセッサ”を有する計算装置を参照する場合、２以上のプロセッサ又は処理コアを可能性として含むと解釈されるべきである。プロセッサは、例えば、マルチコア・プロセッサであり得る。プロセッサは、単一のコンピュータシステム内の又は複数のコンピュータシステムの間に分散された一群のプロセッサを指すこともできる。計算装置なる用語は、各々がプロセッサ若しくは複数のプロセッサを有する計算装置の集合又はネットワークを可能性として指すとも解釈されるべきである。コンピュータ実行可能なコードは、同一の計算装置内にあり得るか、又は複数の計算装置の間に分散さえもされ得る複数のプロセッサにより実行することができる。
【００８８】
コンピュータ実行可能なコードは、プロセッサに本発明の一態様を実行させるマシン実行可能な命令又はプログラムを有し得る。本発明の態様に関する処理を実行するためのコンピュータ実行可能なコードは、１以上のプログラミング言語の如何なる組み合わせで書くこともでき、これらプログラミング言語は、ジャバ、スモールトーク、Ｃ＋＋等のオブジェクト指向プログラミング言語、及び“Ｃ”プログラミング言語又は同様のプログラミング言語等でマシン実行可能な命令にコンパイルされる従来の手続型プログラミング言語を含む。幾つかの事例において、コンピュータ実行可能なコードは、高レベル言語の形態又は事前にコンパイルされた形態であり得ると共に、実行しながらマシン実行可能な命令を発生するインタープリタと一緒に使用することもできる。
【００８９】
上記コンピュータ実行可能なコードは、単独型ソフトウェアパッケージとして全体的にユーザのコンピュータ上で若しくは部分的にユーザのコンピュータ上で、部分的にユーザのコンピュータ上で且つ部分的に遠隔コンピュータ上で、又は全体として遠隔コンピュータ上若しくはサーバ上で実行することができる。後者のシナリオにおいて、遠隔コンピュータはユーザのコンピュータにローカルエリアネットワーク（ＬＡＮ）又は広域ネットワーク（ＷＡＮ）を含む何らかのタイプのネットワークを介して接続することができ、又は該接続は外部コンピュータに対してなすことができる（例えば、インターネットサービスプロバイダを用いることによりインターネットを介して）。
【００９０】
本発明の態様は、本発明の実施態様による方法、装置（システム）及びコンピュータプログラム製品のフローチャート及び／又はブロック図を参照して説明される。フローチャート、説明図及び／又はブロック図における各ブロック又はブロックの一部は、適用可能な場合は、コンピュータ実行可能なコードの形態のコンピュータプログラム命令により実施化することができると理解される。更に、互いに排他的でない場合、異なるフローチャート、説明図及び／又はブロック図におけるブロックは組み合わせることもできると理解される。これらのコンピュータプログラム命令は、汎用コンピュータ、専用コンピュータ又はマシンを生成する他のプログラマブルデータ処理装置のプロセッサに対して、上記コンピュータ又は他のプログラマブルデータ処理装置のプロセッサを介して実行する上記命令が、フローチャート及び／又はブロック図のブロック又は複数のブロックにおいて特定される機能／動作を実施するための手段を生成するように、供給することができる。
【００９１】
コンピュータ、他のプログラマブルデータ処理装置又は他のデバイスに特定の態様で機能するように指令することができる斯かるコンピュータプログラム命令は、コンピュータ読取可能な媒体に記憶することもでき、かくして、該コンピュータ読取可能な媒体に記憶された上記命令が、フローチャート及び／又はブロック図のブロック又は複数のブロックにおいて特定される機能／動作を実施する命令を含む製品を形成するようにする。
【００９２】
上記コンピュータプログラム命令は、コンピュータ、他のプログラマブルデータ処理装置又は他のデバイスにロードされ、一連の処理ステップが該コンピュータ、他のプログラマブルデータ処理装置又は他のデバイス上で実行されて、コンピュータで実施する処理が形成され、かくして、上記コンピュータ又は他のプログラマブル装置上で実行する命令が、前記フローチャート及び／又はブロック図のブロック又は複数のブロックにおいて特定される機能／動作を実施するための処理をもたらすようにすることもできる。
【００９３】
ここで使用される“ユーザインターフェース”とは、ユーザ又は操作者がコンピュータ又はコンピュータシステムと対話することを可能にするインターフェースである。“ユーザインターフェース”は、“ヒューマンインターフェース装置”と称することもできる。ユーザインターフェースは、情報若しくはデータを操作者に供給し、及び／又は操作者から情報若しくはデータを受信することができる。ユーザインターフェースは、操作者からの入力がコンピュータにより受信されることを可能にし得ると共に、コンピュータからユーザに出力を供給することができる。言い換えると、ユーザインターフェースは操作者がコンピュータを制御又は操作することを可能にし得ると共に、該インターフェースはコンピュータが操作者の制御又は操作の効果を示すことを可能にし得る。ディスプレイ又はグラフィックユーザインターフェース上でのデータ又は情報の表示は、操作者への情報の供給の一例である。キーボード、マウス、トラックボール、タッチパッド、ポインティングスティック、グラフィックタブレット、ジョイスティック、ゲームパッド、ウエブカム、ヘッドセット、ギアスティック、舵輪、ペダル、ワイヤグローブ、ダンスパッド、リモコン及び加速度計を介してのデータの受信は、全て操作者からの情報又はデータの受信を可能にするユーザインターフェースの構成部品の例である。
【００９４】
ここで使用される“ハードウェアインターフェース”は、コンピュータシステムのプロセッサが外部計算デバイス及び／又は装置と対話し、及び／又は斯かる計算デバイス及び／又は装置を制御することを可能にするインターフェースを含む。ハードウェアインターフェースは、プロセッサが外部計算デバイス及び／又は装置に制御信号又は命令を送信することを可能にし得る。ハードウェアインターフェースは、プロセッサが外部計算デバイス及び／又は装置とデータを交換することも可能にし得る。ハードウェアインターフェースの例は、これらに限定されるものではないが、汎用直列バス、IEEE 1394ポート、パラレルポート、IEEE 1284ポート、直列ポート、RS-232ポート、IEEE 488ポート、ブルートゥース（登録商標）接続、無線ローカルエリアネットワーク接続、TCP/IP接続、イーサネット（登録商標）接続、制御電圧インターフェース、MIDIインターフェース、アナログ入力インターフェース及びデジタル入力インターフェースを含む。
【００９５】
ここで使用される“ディスプレイ”又は“表示装置”は、画像又はデータを表示するように構成された出力装置又はユーザインターフェースを含む。ディスプレイは、視覚、音響及び／又は触覚データを出力することができる。ディスプレイの例は、これらに限定されるものではないが、コンピュータモニタ、テレビジョンスクリーン、タッチスクリーン、触覚電子ディスプレイ、点字スクリーン、陰極線管（ＣＲＴ）、蓄積管、バイステーブルディスプレイ、電子ペーパ、ベクトルディスプレイ、フラットパネルディスプレイ、真空蛍光ディスプレイ（ＶＦ）、発光ダイオード（ＬＥＤ）ディスプレイ、エレクトロルミネッセントディスプレイ（ＥＬＤ）、プラズマディスプレイパネル（ＰＤＰ）、液晶ディスプレイ（ＬＣＤ）、有機発光ダイオード（ＯＬＥＤ）ディスプレイ、プロジェクタ及びヘッドマウント（頭部装着）ディスプレイを含む。
【００９６】
以上、本発明を図面及び上記記載において詳細に図示及び説明したが、このような図示及び説明は解説的又は例示的であって限定するものではないと見なされるべきである。即ち、本発明は開示された実施態様に限定されるものではない。
【００９７】
開示された実施態様に対する他の変形例は、当業者によれば、請求項に記載された本発明を実施するに際して図面、本開示及び添付請求項の精査から理解し、実施することができるものである。尚、請求項において、“有する”なる文言は他の要素又はステップを排除するものではなく、単数形は複数を排除するものではない。また、単一のプロセッサ又は他のユニットは、請求項に記載された幾つかの項目の機能を満たすことができる。また、特定の手段が互いに異なる従属請求項に記載されているという単なる事実は、これら手段の組合せを有利に使用することができないということを示すものではない。また、コンピュータプログラムは、光記憶媒体又は他のハードウェアと一緒に若しくは他のハードウェアの一部として供給される固体媒体等の適切な媒体により記憶／分配することができるのみならず、インターネット又は他の有線若しくは無線通信システムを介して等のように他の形態で分配することもできる。また、請求項における如何なる符号も、当該範囲を限定するものと見なしてはならない。
【符号の説明】
【００９８】
１００            治療システム
１０２            放射線治療装置
１０４            機械式アクチュエータ
１０６            磁気共鳴撮像モジュール
１０８            環状機構
１１０            放射線治療源
１１２            多分割ビームコリメータ
１１４            放射線ビーム
１１６            回転軸
１１７            回転ポイント
１２２            主磁石
１２４            低温槽
１２６            超伝導コイル
１２８            補償コイル
１３０            低磁場領域
１３２            磁石軸
１３４            勾配磁場コイル
１３６            勾配磁場コイル電源
１３８            撮像ボリューム
１４０            ラジオ波コイル
１４２            ラジオ波送受信器
１４４            被検者
１４６            標的ボリューム
１４８            患者担体
１５０            機械式位置決めシステム
１５２            コンピュータシステム
１５４            ハードウェアインターフェース
１５６            プロセッサ
１５８            ユーザインターフェース
１６０            コンピュータ記憶部
１６２            コンピュータメモリ
１６４            上部距離
１６６            底部距離
１７０            画像磁気共鳴データ
１７２            診断画像
１７４            標的ボリュームの座標
１７８            放射線治療制御信号
１８０            治療システム制御モジュール
１８２            放射線治療装置制御モジュール
１８６            磁気共鳴撮像制御モジュール
１８８            画像再構成モジュール
１９４            放射線治療制御信号発生モジュール
１９９            プログラム
２１０〜２１３    ステップ
３０１            ２Ｄ画像
３０３〜３０５    ポインタ
【図１】
2019533562.tif 000003
【図２】
2019533562.tif 000004
【図３】
2019533562.tif 000005
【国際調査報告】
2019533562.tif 000006
2019533562.tif 000007
2019533562.tif 000008